(57)【要約】      （修正有）【課題】地域情報の交換を効率化又は活性化させる地域情報交換装置を提供する。【解決手段】地域情報交換サーバ２が、町内会などの地域のユーザに対して、地域毎の地域ポータルサイトを提供して、地域内での情報交換を支援すると共に、地域活動拠点からの地域広報コンテンツ、及び、地域内外の商業広告コンテンツをユーザの地域及び家族構成に基づいて絞り込み、ユーザに提供する。これにより、地域及び家族構成に応じたターゲティング広告を行う。【選択図】図１
2016009412.tif 000002
【特許請求の範囲】
【請求項１】
ユーザの地域及び家族構成に基づいて、地域情報にリンクされたバナーを選択するバナー選択部と、
前記バナー選択部により選択されたバナーを含む地域のポータルサイトを前記ユーザに提供するポータル提供部と
を有する地域情報交換装置。
【請求項２】
前記バナーに関連付けて、このバナーがこの地域のユーザにより選択操作された場合の特典ポイントを格納する特典格納部と、
前記バナーがユーザの端末上で選択操作された場合に、選択操作したユーザが前記地域のユーザであるか否かを判定するユーザ判定部と、
前記バナーに対して選択操作したユーザが前記地域のユーザであると前記ユーザ判定部により判定された場合に、前記特典格納部にこのバナーに関連付けて格納されている特典ポイントに基づいて、この  ユーザに特典ポイントを付与する特典付与部と、
前記特典付与部により付与された特典ポイントに応じて、前記地域で共通して利用される通信インフラの料金に対する割引額を算出する割引部と
をさらに有する
請求項１に記載の地域情報交換装置。
【請求項３】
前記ユーザ判定部は、前記ポータル提供部により提供される地域ポータルサイトにおいて、前記バナー選択部により選択されたバナーのいずれかがユーザにより選択された場合に、選択操作したユーザが前記地域のユーザであるか否かを判定する
請求項２に記載の地域情報交換装置。
【請求項４】
ユーザそれぞれが編集可能なウェブサイト内のユーザ固有領域において、既定数までのバナーをユーザの操作に応じて選択して配列させるバナー配列部
をさらに有し、
前記特典格納部は、ユーザ固有領域に配列された場合の特典ポイントと、バナーのリンク先が閲覧された場合の特典ポイントとを格納し、
前記特典付与部は、前記バナー配列部によってバナーがユーザ固有領域に配列された場合に、前記特典格納部により格納された特典ポイントを、ユーザに付与する
請求項３に地域情報交換装置。
【請求項５】
前記バナー配列部により地域内の各ユーザについて配列されたバナーに基づいて、地域内におけるバナーの順位を決定する順位決定部と
前記順位決定部により決定された順位の表を出力する順位出力部と
をさらに有する請求項４に記載の地域情報交換装置。
【請求項６】
前記バナーは、地域広報コンテンツにリンクする広報バナーと、地域内外の事業所による商業広告コンテンツにリンクする商業バナーとを含み、
前記バナー提供部は、広報バナーが地域ポータルサイトに含まれる場合に、この広報バナーが選択された場合の特典ポイントを示す特典表示を含むバナーを表示させ、商業バナーが地域ポータルサイトに含まれる場合には、この商業バナーの事業所の所在地を示す地域表示が含まれたバナーを表示させる
請求項５に記載の地域情報交換装置。
【請求項７】
地域内のユーザに関連付けて、このユーザの近所の住人の識別情報を格納するユーザ情報格納部と、
前記広報バナーのリンク先である地域広報コンテンツについて、地域内のユーザそれぞれが閲覧したことを特定する閲覧特定部と、
前記閲覧特定部により特定されたユーザに基づいて、地域広報コンテンツの未閲覧の住人の識別情報を配信する未読配信部と、
前記未読配信部により配信された住人に関して、前記ユーザ情報格納部により関連付けて格納されたユーザによる代理の既閲覧操作を受け付ける代理受付部と
をさらに有し、
前記特典付与部は、前記代理受付部により代理の既閲覧操作が受け付けられた場合に、この代理したユーザに特典ポイントを付与する
請求項６に記載の地域情報交換装置。
【請求項８】
地域情報にリンクされたバナーに関連付けて、このバナーがこの地域のユーザにより選択操作された場合の特典ポイントをデータベースに登録するステップと、
前記バナーがユーザの端末上で選択操作された場合に、選択操作したユーザが前記地域のユーザであるか否かを判定するステップと、
前記バナーに対して選択操作したユーザが前記地域のユーザであると判定された場合に、前記データベースにこのバナーに関連付けて登録されている特典ポイントに基づいて、このユーザに特典ポイントを付与するステップと、
付与された特典ポイントに応じて、前記地域で共通して利用される通信インフラの料金に対する割引額を算出するステップと
を有する地域情報交換方法。
【請求項９】
地域情報にリンクされたバナーに関連付けて、このバナーがこの地域のユーザにより選択操作された場合の特典ポイントをデータベースに登録するステップと、
前記バナーがユーザの端末上で選択操作された場合に、選択操作したユーザが前記地域のユーザであるか否かを判定するステップと、
前記バナーに対して選択操作したユーザが前記地域のユーザであると判定された場合に、前記データベースにこのバナーに関連付けて登録されている特典ポイントに基づいて、このユーザに特典ポイントを付与するステップと、
付与された特典ポイントに応じて、前記地域で共通して利用される通信インフラの料金に対する割引額を算出するステップと
をコンピュータに実行させるプログラム。
【発明の詳細な説明】
【技術分野】
【０００１】
本発明は、地域情報交換装置、地域情報交換方法、及びプログラムに関する。
【背景技術】
【０００２】
例えば、特許文献１には、テレビ受信機が設置されている地域に応じて、閲覧可能とする見出しを選択する広告コンテンツ配信システムが開示されている。
【先行技術文献】
【特許文献】
【０００３】
【特許文献１】特開２０１０−２６８１５２
【発明の概要】
【発明が解決しようとする課題】
【０００４】
地域情報の交換を効率化又は活性化させる地域情報交換装置を提供することを目的とする。
【課題を解決するための手段】
【０００５】
本発明に係る地域情報交換装置は、ユーザの地域及び家族構成に基づいて、地域情報にリンクされたバナーを選択するバナー選択部と、前記バナー選択部により選択されたバナーを含む地域のポータルサイトを前記ユーザに提供するポータル提供部とを有する。
【０００６】
好適には、前記バナーに関連付けて、このバナーがこの地域のユーザにより選択操作された場合の特典ポイントを格納する特典格納部と、前記バナーがユーザの端末上で選択操作された場合に、選択操作したユーザが前記地域のユーザであるか否かを判定するユーザ判定部と、前記バナーに対して選択操作したユーザが前記地域のユーザであると前記ユーザ判定部により判定された場合に、前記特典格納部にこのバナーに関連付けて格納されている特典ポイントに基づいて、この  ユーザに特典ポイントを付与する特典付与部と、前記特典付与部により付与された特典ポイントに応じて、前記地域で共通して利用される通信インフラの料金に対する割引額を算出する割引部とをさらに有する。
【０００７】
好適には、前記ユーザ判定部は、前記ポータル提供部により提供される地域ポータルサイトにおいて、前記バナー選択部により選択されたバナーのいずれかがユーザにより選択された場合に、選択操作したユーザが前記地域のユーザであるか否かを判定する。
【０００８】
好適には、ユーザそれぞれが編集可能なウェブサイト内のユーザ固有領域において、既定数までのバナーをユーザの操作に応じて選択して配列させるバナー配列部をさらに有し、前記特典格納部は、ユーザ固有領域に配列された場合の特典ポイントと、バナーのリンク先が閲覧された場合の特典ポイントとを格納し、前記特典付与部は、前記バナー配列部によってバナーがユーザ固有領域に配列された場合に、前記特典格納部により格納された特典ポイントを、ユーザに付与する。
【０００９】
好適には、前記バナー配列部により地域内の各ユーザについて配列されたバナーに基づいて、地域内におけるバナーの順位を決定する順位決定部と、前記順位決定部により決定された順位の表を出力する順位出力部とをさらに有する。
【００１０】
好適には、前記バナーは、地域広報コンテンツにリンクする広報バナーと、地域内外の事業所による商業広告コンテンツにリンクする商業バナーとを含み、前記バナー提供部は、広報バナーが地域ポータルサイトに含まれる場合に、この広報バナーが選択された場合の特典ポイントを示す特典表示を含むバナーを表示させ、商業バナーが地域ポータルサイトに含まれる場合には、この商業バナーの事業所の所在地を示す地域表示が含まれたバナーを表示させる。
【００１１】
好適には、地域内のユーザに関連付けて、このユーザの近所の住人の識別情報を格納するユーザ情報格納部と、前記広報バナーのリンク先である地域広報コンテンツについて、地域内のユーザそれぞれが閲覧したことを特定する閲覧特定部と、前記閲覧特定部により特定されたユーザに基づいて、地域広報コンテンツの未閲覧の住人の識別情報を配信する未読配信部と、前記未読配信部により配信された住人に関して、前記ユーザ情報格納部により関連付けて格納されたユーザによる代理の既閲覧操作を受け付ける代理受付部とをさらに有し、前記特典付与部は、前記代理受付部により代理の既閲覧操作が受け付けられた場合に、この代理したユーザに特典ポイントを付与する。
【００１２】
また、本発明に係る地域情報交換方法は、地域情報にリンクされたバナーに関連付けて、このバナーがこの地域のユーザにより選択操作された場合の特典ポイントをデータベースに登録するステップと、前記バナーがユーザの端末上で選択操作された場合に、選択操作したユーザが前記地域のユーザであるか否かを判定するステップと、前記バナーに対して選択操作したユーザが前記地域のユーザであると判定された場合に、前記データベースにこのバナーに関連付けて登録されている特典ポイントに基づいて、このユーザに特典ポイントを付与するステップと、付与された特典ポイントに応じて、前記地域で共通して利用される通信インフラの料金に対する割引額を算出するステップとを有する。
【００１３】
また、本発明に係るプログラムは、地域情報にリンクされたバナーに関連付けて、このバナーがこの地域のユーザにより選択操作された場合の特典ポイントをデータベースに登録するステップと、前記バナーがユーザの端末上で選択操作された場合に、選択操作したユーザが前記地域のユーザであるか否かを判定するステップと、前記バナーに対して選択操作したユーザが前記地域のユーザであると判定された場合に、前記データベースにこのバナーに関連付けて登録されている特典ポイントに基づいて、このユーザに特典ポイントを付与するステップと、付与された特典ポイントに応じて、前記地域で共通して利用される通信インフラの料金に対する割引額を算出するステップとをコンピュータに実行させる。
【発明の効果】
【００１４】
地域情報の交換を効率化又は活性化させることができる。
【図面の簡単な説明】
【００１５】
【図１】善隣館システム１のハードウェア構成を例示する図である。
【図２】地域情報交換サーバ２のハードウェア構成を例示する図である。
【図３】地域情報交換サーバ２の機能構成を例示する図である。
【図４】特典情報ＤＢ２５０に格納される特典テーブルを例示する図である。
【図５】（Ａ）は、ユーザ情報ＤＢ２５２に格納されるユーザテーブルを例示し、（Ｂ）は、ユーザ情報ＤＢ２５２に格納される閲覧履歴テーブルを例示し、（Ｃ）は、ユーザ情報ＤＢ２５２に格納される逆指名テーブルを例示する図である。
【図６】（Ａ）は、広報バナー９０を例示し、（Ｂ）及び（Ｃ）は、商業バナー９２を例示する図である。
【図７】地域情報交換サーバ２によるポータル提供処理（Ｓ１０）のフローチャートである。
【図８】地域情報交換サーバ２による逆指名特典付与処理（Ｓ２０）のフローチャートである。
【図９】地域情報交換サーバ２による閲覧管理処理（Ｓ３０）のフローチャートである。
【図１０】地域情報交換サーバ２による順位決定処理（Ｓ４０）のフローチャートである。
【図１１】地域ポータルサイト８を例示する図である。
【発明を実施するための形態】
【００１６】
以下、本発明の実施形態を、図面を参照して説明する。
図１は、善隣館システム１のハードウェア構成を例示する図である。
図１に例示するように、善隣館システム１は、地域情報交換サーバ２と、通信費管理サーバ４と、Ｗｅｂサーバ７とを含む。
地域情報交換サーバ２は、本発明に係る地域情報交換装置の一例である。地域情報交換サーバ２は、地域ポータルサイトを提供するサーバ装置であり、インターネットなどのネットワークを介して、通信費管理サーバ４及びＷｅｂサーバ７と接続している。
通信費管理サーバ４は、サーバ装置であり、通信インフラに要する費用（例えば、ネットワークの回線利用料、回線工事費用、ネットワーク機器の設置費用、又は、ネットワーク機器のレンタル料など）を管理し、ユーザに請求を行う。
Ｗｅｂサーバ７は、地域情報を提供するサーバ装置である。より具体的には、Ｗｅｂサーバ７は、地域に対する広報情報が含まれた地域広報コンテンツと、地域内外の事業所による商業広告が含まれた商業広告コンテンツとを、ウェブページを介してユーザに提供する。本例のＷｅｂサーバ７は、ユーザの閲覧端末３からインターネットを介してページの要求を受信すると、受信した要求に応じて、ウェブページを構成するＨＴＭＬファイル又はＢＭＬファイルを閲覧端末３に返信する。なお、閲覧端末３は、直接インターネットに接続されたコンピュータ端末３Ａであってもよいし、セットトップボックスを介してインターネットに接続されたテレビ３Ｂであってもよい。
【００１７】
本例では、町内会や公民館などのように市区町村よりも狭い地域における情報交換を対象とした具体例を説明する。ちなみに、善隣館とは、助け合いの心で、近隣の人々と心を通わせ、支え合い、お互いに善き隣人を作っていくという善隣思想に基づいて、主に金沢市内に設けられた地域活動拠点である。
本例の善隣館システム１では、地域情報交換サーバ２が、町内会などの地域のユーザに対して、地域毎の地域ポータルサイトを提供して、地域内での情報交換を支援すると共に、地域活動拠点（公民館など）からの地域広報コンテンツ、及び、地域内外の商業広告コンテンツをユーザの地域及び家族構成に基づいて絞り込み、ユーザに提供する。地域及び家族構成に基づいてコンテンツを絞り込むことにより、ターゲットを絞った情報発信が可能になり、地域ポータルサイトの利用率を向上させる。
また、インターネットによる商業広告では配信地域を絞り込めないため、比較的営業エリアの広い事業者（フランチャイズチェーンなど）が広告主となる傾向にあり、地場の居酒屋や美容院等のローカルな事業者は、地域情報誌やポスティングにより商業広告を行う傾向にあるが、本例の善隣館システム１では、地域及び家族構成に応じたターゲティング広告が可能になり、ローカルな事業者による効率的なネット広告が実現できる。具体的には、ネット広告では、膨大な数の広告が出稿されており、目立つようにするには多大なコスト及び時間を要するが、「地域及び家族構成」でターゲットを絞り込むことにより、比較的低いコストで、ユーザに届きやすいネット広告にできる。
また、地域情報交換サーバ２は、地域のユーザの閲覧操作等に応じて、通信インフラに要する費用を割り引くことにより、地域情報の活用を促進させる。換言すると、本例の善隣館システム１は、地域内で共通して利用される通信インフラの費用をユーザの利用実績に応じて割り引くことにより、回覧板や各戸ポスティングによる情報発信から、地域ポータルサイトを通じた情報発信への置き換えを促すものである。
【００１８】
図２は、地域情報交換サーバ２のハードウェア構成を例示する図である。
図２に例示するように、地域情報交換サーバ２は、ＣＰＵ２００、メモリ２０２、ＨＤＤ２０４、ネットワークインタフェース２０６（ネットワークＩＦ２０６）、表示装置２０８、及び入力装置２１０を有し、これらの構成はバス２１２を介して互いに接続している。
ＣＰＵ２００は、例えば、中央演算装置である。
メモリ２０２は、例えば、揮発性メモリであり、主記憶装置として機能する。
ＨＤＤ２０４は、例えば、ハードディスクドライブ装置であり、不揮発性の記録装置としてコンピュータプログラムやその他のデータファイルを格納する。
ネットワークＩＦ２０６は、有線又は無線で通信するためのインタフェースであり、インターネットを介した携帯端末３との通信を実現する。
表示装置２０８は、例えば、液晶ディスプレイである。
入力装置２１０は、例えば、キーボード及びマウスである。
【００１９】
図３は、地域情報交換サーバ２の機能構成を例示する図である。
図３に例示するように、本例の地域情報交換サーバ２には、地域情報交換プログラム２０がインストールされると共に、特典情報データベース２５０（特典情報ＤＢ２５０）及びユーザ情報データベース２５２（ユーザ情報ＤＢ２５２）が構成される。
地域情報交換プログラム２０は、コンテンツ選択部２００、ポータル提供部２０２、操作検知部２０４、バナー配列部２０６、順位決定部２０８、順位出力部２１０、ユーザ判定部２１２、閲覧特定部２１４、未読配信部２１６、代理受付部２１８、特典付与部２２０、及び割引部２２２を有する。
なお、地域情報交換プログラム２０の一部又は全部は、ＡＳＩＣなどのハードウェアにより実現されてもよい。また、地域情報交換プログラム２０は、例えば、ＣＤ−ＲＯＭなどの記録媒体に格納されており、この記録媒体を介してインストールされる。
地域情報交換プログラム２０において、コンテンツ選択部２００は、ユーザの家族構成に基づいて、地域ポータルサイトで提供する地域情報をユーザ毎に選択する。コンテンツ選択部２００は、本発明に係るバナー選択部の一例である。例えば、本例のコンテンツ選択部２００は、ユーザの家族構成に基づいて、地域ポータルサイト上の掲示板に表示させる記事と、地域ポータルサイトに貼り付けられるバナーとの双方を選択する。ここで、バナーとは、地域情報にリンクされたリンク部分であり、例えば、リンク先の地域情報の見出しなどが表示されている。コンテンツ選択部２００は、ユーザの家族構成に応じて、表示させる地域情報を選択することにより、より効率的な情報発信を実現する。なお、ユーザの年齢や性別などの属性ではなく、「家族構成」によって地域情報が選択されるのは、１人のユーザに対する情報発信ではなく、世帯に対する情報発信を意図しているからである。すなわち、物理的及び精神的に近い関係にある家族内で、地域情報が直接伝達されることを期待したものである。加えて、地域情報には、小学生向けの情報（夏休みのイベント情報など）、老人会向けの情報（老人会の旅行など）、及び、女性向け（婦人会募集など）が含まれているため、十分に絞り込んで提供し、かつ、家族からの伝達（未成年者や老人に対する伝達）することが、情報発信の効率化の観点から重要である。
【００２０】
ポータル提供部２０２は、コンテンツ選択部２００により選択された地域情報を含む地域ポータルサイトを、地域のユーザに提供する。本例のポータル提供部２０２は、図１１に例示するように、コンテンツ選択部２００により選択された広報バナーが配置される広報エリア８００と、コンテンツ選択部２００により選択された商業バナーが配置される逆指名エリア８０２と、地域活動拠点からの緊急連絡欄８０６と、地域内のユーザが情報交換するための地域掲示板８０８とを含む地域ポータルサイト８を提供する。
【００２１】
操作検知部２０４は、地域ポータルサイト８におけるユーザの操作を検知する。
バナー配列部２０６は、操作検知部２０４により検知されたユーザの操作に応じて、ユーザそれぞれが編集可能なウェブサイト内のユーザ固有領域において、既定数までのバナーを選択して配列させる。本例のバナー配列部２０６は、図１１の逆指名エリア８０２において、バナーが重ならない上限数まで、ユーザそれぞれにより指定された商業バナーを配列する。
【００２２】
順位決定部２０８は、バナー配列部２０６により地域内の各ユーザについて配列されたバナーに基づいて、地域内におけるバナーの順位を決定する。本例の順位決定部２０８は、逆指名エリア８０２に配置されたバナーを地域毎かつ月毎に集計し、配置されたユーザ数の多い順に商業バナーの順位を決定する。
順位出力部２１０は、順位決定部２０８により決定された順位の表を出力する。順位出力部２１０は、例えば、バナーの順位表をバナーの広告主に送信してもよいし、地域ポータルサイト８に表示するようにしてもよい。本例の順位出力部２１０は、順位決定部２０８により決定された商業バナーの順位を、地域に関連付けた状態で商業バナーの広告主に送信する。
【００２３】
ユーザ判定部２１２は、バナーがユーザの端末上で選択操作された場合に、選択操作したユーザが地域内のユーザであるか否かを判定する。本例のユーザ判定部２１２は、ユーザが地域ポータルサイトにログインするときに入力したログイン情報に基づいて、ユーザが地域内のユーザであるか否かを判定する。
【００２４】
閲覧特定部２１４は、広報バナーのリンク先である地域広報コンテンツについて、地域内のユーザそれぞれが閲覧したことを特定する。本例の閲覧特定部２１４は、広報バナーに対するクリック操作が操作検知部２０４により既定の基準時までに検知され、かつ、このリンク操作を行ったユーザが地域内のユーザであるとユーザ判定部２１２により判定された場合に、この広報バナーにリンクされた地域広報コンテンツがこのユーザにより閲覧されたものと判断する。
【００２５】
未読配信部２１６は、閲覧特定部２１４により特定されたユーザに基づいて、地域広報コンテンツの未閲覧の住人を特定し、特定された未閲覧の住人を識別するための識別情報を配信する。本例の未読配信部２１６は、未閲覧の住人の識別情報を、この住人の近所に住む他のユーザに配信する。物理的及び精神的に近い住人間で、情報が直接伝達されることを期待したものである。
【００２６】
代理受付部２１８は、未読配信部２１６により配信された住人に関して、この住人のご近所としてユーザ情報ＤＢ２５２に登録されたユーザによる代理の既閲覧操作を受け付ける。既閲覧操作とは、未閲覧の住人が地域情報を受領済みであることを示す操作である。本例の代理受付部２１８は、近所のユーザによって代理の既閲覧操作を受け付けると、この未閲覧の住人を閲覧済みの住人とするようユーザ情報ＤＢ２５２を更新する。
【００２７】
特典付与部２２０は、バナーに対して選択操作したユーザが地域のユーザであるとユーザ判定部２１２により判定された場合に、特典情報ＤＢ２５０に、このバナーに関連付けて格納されている特典ポイントに基づいて、このユーザに特典ポイントを付与する。本例の特典付与部２２０は、地域のユーザが逆指名エリアに商業バナーを配置した場合に、商業バナーに関連付けられた逆指名特典ポイントをユーザに付与し、地域のユーザが広報バナー又は商業バナーをクリックして、リンク先のコンテンツを閲覧した場合に、コンテンツに関連付けられた閲覧特典ポイントをユーザに付与する。
また、特典付与部２２０は、代理受付部２１８により代理の既閲覧操作が受け付けられた場合に、この代理したユーザに代理特典ポイントを付与する。
【００２８】
割引部２２２は、特典付与部２２０により付与された特典ポイントに応じて、地域で共通して利用される通信インフラの料金に対する割引額を算出し、算出された割引額を通信費管理サーバ４に通知する。地域で共通して利用される通信インフラの利用料を割引対象とすることにより、地域住民による共通の通信インフラの導入が促進されることが期待できる。
【００２９】
図４は、特典情報ＤＢ２５０に格納される特典テーブルを例示する図である。
図４に例示するように、特典情報ＤＢ２５０は、地域情報の識別情報（図中の「広告ＩＤ」）と、地域情報の種別（地域広報コンテンツであるか商業広告コンテンツであるかを示す情報、及び、地域から商業広告の事業所までの距離を示す情報）と、この地域情報の配信対象（「地域Ａ  小学生」、「地域Ａ、Ｂ  ６０歳以上」など）と、この地域情報のバナーが逆指名エリアに配置された場合に付与される逆指名特典ポイントと、この地域情報が閲覧された場合に付与される閲覧特典ポイントと、この地域情報に関して代理で既閲覧操作が行われた場合に付与される代理特典ポイントとを互いに関連付けて特典テーブルとして格納する。
【００３０】
図５（Ａ）は、ユーザ情報ＤＢ２５２に格納されるユーザテーブルを例示し、図５（Ｂ）は、ユーザ情報ＤＢ２５２に格納される閲覧履歴テーブルを例示し、図５（Ｃ）は、ユーザ情報ＤＢ２５２に格納される逆指名テーブルを例示する図である。
図５（Ａ）に例示するように、ユーザ情報ＤＢ２５２は、ユーザを識別するための識別情報（ユーザＩＤ）に関連付けて、ユーザが属する地域を識別する地域ＩＤ、このユーザの近所に住む他のユーザのユーザＩＤ（ご近所ＩＤ）、このユーザの家族構成を示す情報、及び、このユーザに付与された特典ポイントの合計（特典合計）をユーザテーブルとして格納する。ご近所ＩＤは、例えば、各ユーザにとって、向こう三軒両隣の他のユーザのうち、ユーザが指定した他のユーザのＩＤである。
【００３１】
図５（Ｂ）に例示するように、ユーザ情報ＤＢ２５２は、広告ＩＤ（地域広報及び商業広告の識別情報）に関連付けて、それぞれの広告（地域広報及び商業広告）を閲覧したユーザのユーザＩＤ（既閲覧のユーザＩＤ）と、この広告を閲覧していないユーザのユーザＩＤ（未閲覧のユーザＩＤ）と、この広告を代理で既閲覧操作されたユーザのユーザＩＤ（代理閲覧してもらったユーザＩＤ）とを閲覧履歴テーブルとして格納する。
【００３２】
図５（Ｃ）に例示するように、ユーザ情報ＤＢ２５２は、各ユーザのユーザＩＤに関連付けて、逆指名エリア８０２の各エリア（エリア１〜エリア３）に配置されたバナーを識別する情報（本例では、広告ＩＤ）を逆指名テーブルとして格納する。
【００３３】
図６（Ａ）は、広報バナー９０を例示し、図６（Ｂ）及び（Ｃ）は、商業バナー９２を例示する図である。図６に例示するように、バナーには、地域広報コンテンツがリンクされた広報バナー９０と、商業広告コンテンツがリンクされた商業バナー９２とが含まれる。
図６（Ａ）に例示するように、広報バナー９０は、例えば、地域広報コンテンツにリンクされたクリッカブルエリアであるバナー本体９００と、この広報バナーがクリックされた場合（すなわち、地域広報コンテンツが閲覧された場合）に付与される特典内容を示す懸賞金表示９０２とで構成されている。バナー本体９００には、地域広報コンテンツの内容を示唆する見出し（「町内会費納付のお願い」など）が表示され、ユーザによりクリックされると、リンク先（地域広報コンテンツ）への遷移が開始される。
また、図６（Ｂ）及び（Ｃ）に例示するように、商業バナー９２は、例えば、商業広告コンテンツにリンクされたクリッカブルエリアであるバナー本体９００と、この地域から事業所（この商業バナーの広告主）までの距離を示す地域表示９０４とで構成されている。地域表示９０４は、当該地域内であるか地域外であるかのみを示してもよいし、本例のように、地域外の広告主について、当該地域からの距離を表示してもよい。商業バナー９０４に地域表示が含まれることによって、地産地消の促進、及び、地域経済の活性化などが期待できる。インターネット上の仮想店舗などでは、事業所までの距離が把握されにくくなり、輸送コストが無駄となったり、商習慣の違いから思わぬトラブルが発生したりする虞があった。上記地域表示によって、これらも緩和される可能性がある。
【００３４】
次に、善隣館システム１の動作を説明する。
図７は、地域情報交換サーバ２によるポータル提供処理（Ｓ１０）のフローチャートである。
図７に例示するように、ステップ１００（Ｓ１００）において、地域情報交換サーバ２は、地域ポータルサイトへのログインが要求されるまで待機し（Ｓ１００：Ｎｏ）、ログインが要求されると、ユーザＩＤ及びパスワードの入力を受け付け、入力されたユーザＩＤ及びパスワードに基づいて認証を行って、Ｓ１０５の処理に移行する。
【００３５】
ステップ１０５（Ｓ１０５）において、ユーザ判定部２１２は、図５（Ａ）に例示したユーザテーブルを参照して、入力されたユーザＩＤに基づいて、ユーザの地域及び家族構成を特定する。
【００３６】
ステップ１１０（Ｓ１１０）において、コンテンツ選択部２００は、図４に例示した特典テーブルを参照して、ユーザ判定部２１２により特定されたユーザの地域及び家族構成に基づいて、地域ポータルサイトに配列するバナーを選択する。さらに、コンテンツ選択部２００は、ユーザ判定部２１２により特定された地域及び家族構成に基づいて、緊急連絡欄の連絡事項及び地域掲示板の記事を選択する。
【００３７】
ステップ１１５（Ｓ１１５）において、バナー配列部２０６は、図５（Ｃ）に例示した逆指名テーブルを参照して、ユーザＩＤに関連付けられた商業バナー９２及びその配置を特定する。
ステップ１２０（Ｓ１２０）において、バナー配列部２０６は、コンテンツ選択部２００により選択された商業バナー９２のうち、逆指名テーブルに登録されている商業バナー９２を、登録されている配置に従って逆指名エリア８０２に配置する。
【００３８】
ステップ１２５（Ｓ１２５）において、ポータル提供部２０２は、バナー配列部２０６により配列された商業バナー９２に加えて、コンテンツ選択部２００により選択された広報バナー９０、緊急連絡事項及び掲示板の記事を配置して、地域ポータルサイト８（図１１）を完成させ、ログインを要求したユーザに提供する。
【００３９】
このように、地域情報交換サーバ２は、ユーザの地域及び家族構成に応じて、地域ポータルサイトに掲載する地域情報を絞り込んで、地域情報の閲覧性を高める。
【００４０】
図８は、地域情報交換サーバ２による逆指名特典付与処理（Ｓ２０）のフローチャートである。
図８に例示するように、ステップ２００（Ｓ２００）において、地域情報交換サーバ２の操作検知部２０４は、図１１に例示する地域ポータルサイト８において、ログイン中のユーザによるバナー編集ボタン８０４のクリック操作を検知するまで待機し（Ｓ２００：Ｎｏ）、バナー編集ボタン８０４に対するクリック操作を検知すると、Ｓ２０５の処理に移行する。
【００４１】
ステップ２０５（Ｓ２０５）において、バナー配列部２０６は、コンテンツ選択部２００により選択された商業バナー９２を逆指名候補として別ウインドウに表示させる。
ユーザは、別ウインドウに表示された逆指名候補の商業バナー９２を、逆指名エリア８０２（図１１）にドラッグ＆ドロップして、所望の商業バナー９２を逆指名エリア８０２に追加できる。また、ユーザは、逆指名エリア８０２に表示されている商業バナー９２を削除することもできる。
【００４２】
ステップ２１０（Ｓ２１０）において、バナー配列部２０６は、ユーザによる編集完了操作を検知すると、逆指名エリア８０２に配置された商業バナー９２に変更があるか否かを判断する。
バナー配列部２０６は、逆指名エリア８０２の商業バナー９２に変更があると判断した場合に、Ｓ２２０の処理に移行し、変更が無いと判断した場合に、逆指名特典付与処理（Ｓ２０）を終了する。
【００４３】
ステップ２２０（Ｓ２２０）において、バナー配列部２０６は、逆指名エリア８０２に配置された商業バナー９２に従って、図５（Ｃ）の逆指名テーブルを更新する。
特典付与部２２０は、バナー配列部２０６による逆指名テーブルの更新部分（更新された商業バナー）に基づいて、図４の特典テーブルに登録された逆指名特典ポイントを、更新したユーザに仮付与する。
【００４４】
ステップ２２５（Ｓ２２５）において、特典付与部２２０は、逆指名テーブルを監視して、逆指名特典ポイントの仮付与の根拠となった商業バナー９２が既定期間内に逆指名エリア８０２から削除されるか否かを判断する。
特典付与部２２０は、仮付与の根拠となった商業バナー９２が既定期間内に削除された場合に、Ｓ２３０の処理に移行し、既定期間内に削除されなかった場合に、Ｓ２３５の処理に移行する。
【００４５】
ステップ２３０（Ｓ２３０）において、特典付与部２２０は、仮付与された逆指名特典ポイントをキャンセルする。
ステップ２３５（Ｓ２３５）において、特典付与部２２０は、仮付与された逆指名特典ポイントを確定させ、ユーザの特典合計に加算する。
【００４６】
このように、地域情報交換サーバ２は、逆指名特典ポイントの付与によって、商業バナーの逆指名を促すと共に、商業バナーに対する地域住民の関心度や、地域ポータルサイト又は逆指名エリアにおける地域住民のアクティビティを計測できる。
【００４７】
図９は、地域情報交換サーバ２による閲覧管理処理（Ｓ３０）のフローチャートである。なお、本例では、地域広報コンテンツの閲覧管理を具体例として説明する。
図９に例示するように、ステップ３００（Ｓ３００）において、地域情報交換サーバ２の閲覧特定部２１４は、地域広報コンテンツそれぞれに設定された閲覧の基準日が到来したか否かを判定し、いずれかの地域広報コンテンツについて閲覧の基準日が到来した場合に（Ｓ３００：Ｙｅｓ）、Ｓ３０５の処理に移行し、到来していない場合に（Ｓ３００：Ｎｏ）、閲覧操作の監視処理を継続する。
なお、閲覧特定部２１４は、新たな地域広報コンテンツ及び広報バナー９２が特典テーブル（図４）に登録されると、図５（Ｂ）の閲覧履歴テーブルに、配信対象に該当するユーザを未閲覧として登録した新しい行を追加して閲覧操作の監視処理を開始し、広報バナー９０に対するクリック操作が操作検知部２０４により検知された場合に、閲覧履歴テーブルを更新していく。
【００４８】
ステップ３０５（Ｓ３０５）において、閲覧特定部２１４は、随時更新してきた閲覧履歴テーブルを基準日の閲覧履歴テーブルとして確定させる。
ステップ３１０（Ｓ３１０）において、未読配信部２１６は、閲覧特定部２１４により確定された基準日の閲覧履歴テーブルを参照して、未閲覧のユーザ（未閲覧世帯）を特定する。
【００４９】
ステップ３１５（Ｓ３１５）において、未読配信部２１６は、未閲覧ユーザの識別情報（氏名など）に基づいて、この未閲覧ユーザに関連付けてユーザテーブルに登録されたご近所ＩＤを抽出し、抽出されたご近所ＩＤの中から、既閲覧のユーザを選択する。
未読配信部２１６は、選択された既閲覧のユーザに対して、未閲覧ユーザの識別情報を配信する。
【００５０】
ステップ３２０（Ｓ３２０）において、閲覧特定部２１４は、各地域広報コンテンツについて設定された閲覧期限を監視し、閲覧期限が到来した場合（Ｓ３２０：Ｙｅｓ）、閲覧履歴テーブルを確定させて、この地域広報コンテンツに関する閲覧管理処理（Ｓ２０）を終了する。
一方、閲覧特定部２１４は、閲覧期限が到来していない場合（Ｓ３２０：Ｎｏ）、閲覧操作の監視処理を継続し、Ｓ３２５の処理に移行する。
【００５１】
ステップ３２５（Ｓ３２５）において、代理受付部２１８は、未読配信部２１６により未閲覧ユーザの識別情報が配信されたご近所ＩＤのユーザから、代理の既閲覧操作を受け付ける。既閲覧操作は、代理されるユーザにより閲覧されたことを意味する。
代理受付部２１８は、代理の既閲覧操作を受け付けた場合に、Ｓ３３０の処理に移行し、代理の既閲覧操作を受け付けていない場合に、Ｓ３２０の処理に戻る。
【００５２】
ステップ３３０（Ｓ３３０）において、代理受付部２１８は、代理の既閲覧操作を受け付けると、図５（Ｂ）の閲覧履歴テーブルの代理閲覧に、代理されたユーザのユーザＩＤを追加し、このユーザＩＤを未閲覧から削除する。
特典付与部２２０は、代理受付部２１８により代理の既閲覧操作を受け付けると、図４の特典テーブルに登録された代理特典ポイントを、代理の既閲覧操作を行ったユーザに付与する。
【００５３】
ステップ３３５（Ｓ３３５）において、閲覧特定部２１４は、図５（Ｂ）の閲覧履歴テーブルのいずれかの地域広報コンテンツについて、未閲覧のユーザが無くなった場合に、この地域広報コンテンツについて閲覧履歴を確定させて閲覧管理処理（Ｓ３０）を終了し、未閲覧のユーザが存在する地域広報コンテンツについてはＳ３２０に戻り、閲覧操作の監視処理を継続する。
【００５４】
このように、地域情報交換サーバ２は、代理特典ポイントを付与して、代理での既閲覧操作を促すことにより、ご近所同士で、地域情報を伝達することを促進させる。これは、同一の配信対象（例えば、年齢層や性別等が共通する住人同士）で地域情報を口頭で伝えることになるため、地域交流の活性化も期待できる。
【００５５】
図１０は、地域情報交換サーバ２による順位決定処理（Ｓ４０）のフローチャートである。なお、本例では、商業バナーの順位決定を具体例として説明する。
図１０に例示するように、ステップ４００（Ｓ４００）において、地域情報交換サーバ２の順位決定部２０８は、予め設定された順位決定の基準日（例えば、月末）が到来したか否かを判定し、順位決定の基準日が到来した場合に（Ｓ４００：Ｙｅｓ）、Ｓ４０５の処理に移行し、到来していない場合に（Ｓ４００：Ｎｏ）、待機を継続する。
【００５６】
ステップ４０５（Ｓ４０５）において、順位決定部２０８は、図５（Ｃ）の逆指名テーブルを参照して、同一地域内のユーザにより選択された商業バナー（すなわち、ユーザ毎にカスタマイズされた地域ポータルサイト８の逆指名エリア８０２に配置された商業バナー）を特定する。なお、逆指名テーブルに登録されている商業バナーは、既定の期間以上逆指名エリアに配置されて、確定されたものである。
ステップ４１０（Ｓ４１０）において、順位決定部２０８は、特定された商業バナーそれぞれについて、同一地域内で選択したユーザの数を集計し、集計されたユーザ数の順に順位を決定する。
【００５７】
ステップ４１５（Ｓ４１５）において、順位出力部２１０は、順位決定部２０８により地域毎に決定された順位に基づいて、商業バナーの逆指名順位表を作成する。逆指名順位表は、例えば、商業バナーの地域内での順位、逆指名したユーザの数、逆指名したユーザの家族構成、及び、前月からの変動（順位及びユーザ数の変動）を含む。
【００５８】
ステップ４２０（Ｓ４２０）において、順位出力部２１０は、作成された逆指名順位表と、逆指名順位表における順位又はユーザ数に基づいて作成された広告料の請求書とを広告主に送信する。広告料の請求額は、例えば、逆指名順位表における順位と、逆指名したユーザ数とに基づいて算出される。
【００５９】
このように、地域情報交換サーバ２は、地域毎に、ユーザにより逆指名された商業バナーの順位を決定し、この順位に基づき広告料を決定することにより、広告料の一部又は全部を特典ポイントの原資にでき、かつ、逆指名に基づく新しいアフィリエイトプログラムを提供することができる。このアフィリエイトプログラムでは、地域内での順位が算出根拠となるため、地域毎の広告効果をきめ細かく計測できるだけでなく、ユーザのより積極的な支持度合を抽出できると共に、他の広告との相対評価が可能になる。一方、ユーザ側から見れば、逆指名順位表は、地域における店舗等の人気ランキングであり、地域住民は、逆指名順位表により、近所で支持されている店舗等を知ることができる。
【００６０】
以上説明したように、本実施形態の善隣館システム１は、地域内ユーザに地域及び家族構成に基づいて絞り込んだ地域情報を提供する共に、閲覧特典ポイント等を付与することにより、このシステムを介した地域情報の受領、及び、地域ポータルサイトの活用を促進させることができる。また、代理による既閲覧操作などを受け付けることにより、近所同士での口頭による情報伝達を促し、地域交流の活性化が期待できる。広告出稿者にとっても、地域及び家族構成に応じたターゲティング広告が可能になり、広告コストの抑制が期待できる。
本例の善隣館システム１は、住民の家族構成に基づいて、バナー及びコンテンツを絞り込んで地域ポータルサイトを提供するため、地域ポータルサイトの閲覧性が向上する。
本例の善隣館システム１は、地域住民からの逆指名に基づく新しいアフィリエイトプログラムを提供できる。
【００６１】
なお、上記実施形態では、地域情報交換サーバ２と、Ｗｅｂサーバ７とが別に設けられた形態を説明したが、これに限定されるものではなく、例えば、地域情報交換サーバ２の機能とＷｅｂサーバ７の機能とが単一のサーバ上で実現されてもよい。
【符号の説明】
【００６２】
１…善隣館システム
２…地域情報交換サーバ
２０…地域情報交換プログラム
８…地域ポータルサイト
８００…広報エリア
８０２…逆指名エリア
【図１】
2016009412.tif 000003
【図２】
2016009412.tif 000004
【図３】
2016009412.tif 000005
【図４】
2016009412.tif 000006
【図５】
2016009412.tif 000007
【図６】
2016009412.tif 000008
【図７】
2016009412.tif 000009
【図８】
2016009412.tif 000010
【図９】
2016009412.tif 000011
【図１０】
2016009412.tif 000012
【図１１】
2016009412.tif 000013